(57)【要約】  回転テーブルに置いたウェーハの面内温度分布を維持した状態で安定的に回転しながらウェーハを加熱することができる、回転テーブル用ウェーハ加熱保持機構、回転テーブル用ウェーハ加熱方法及びウェーハ回転保持装置を提供する。  ウェーハ回転保持装置の回転テーブル用ウェーハ加熱保持機構であって、回転軸と、前記回転軸の先端に載置され且つ上面にウェーハを保持する回転テーブルと、前記回転軸に動力を供給する駆動モータと、前記回転テーブル上且つ前記ウェーハの下部に前記ウェーハに非接触状態で設けられた前記ウェーハを加熱するための加熱手段と、を有するようにした。
2017204083.tif 000002
【特許請求の範囲】
【請求項１】
ウェーハ回転保持装置の回転テーブル用ウェーハ加熱保持機構であって、
回転軸と、
前記回転軸の先端に載置され且つ上面にウェーハを保持する回転テーブルと、
前記回転軸に動力を供給する駆動モータと、
前記回転テーブル上且つ前記ウェーハの下部に前記ウェーハに非接触状態で設けられた前記ウェーハを加熱するための加熱手段と、
を有する、回転テーブル用ウェーハ加熱保持機構。
【請求項２】
前記回転テーブルと前記加熱手段の間に反射板を設けてなる、請求項１記載の回転テーブル用ウェーハ加熱保持機構。
【請求項３】
前記回転軸の周囲に巻回された固定側１次コイルと、
前記固定側１次コイルに接続された電力供給源と、
前記固定側１次コイルに対応して所定距離離間して設けられ、且つ前記回転テーブルに取り付けられた回転テーブル側２次コイルと、
前記回転テーブル側２次コイルに接続された負荷と、
を含む回転テーブル用非接触電力供給機構を用い、電磁誘導により前記２次コイルを介して前記加熱手段に電力が供給されてなる、請求項１又は２記載の回転テーブル用ウェーハ加熱保持機構。
【請求項４】
請求項１〜３のいずれか１項記載の回転テーブル用ウェーハ加熱保持機構を用いて、前記ウェーハを加熱してなる、回転テーブル用ウェーハ加熱方法。
【請求項５】
請求項１〜３のいずれか１項記載の回転テーブル用ウェーハ加熱保持機構を備えてなる、ウェーハ回転保持装置。
【請求項６】
前記ウェーハ回転保持装置が、スピン処理機構を備える、請求項５記載のウェーハ回転保持装置。
【発明の詳細な説明】
【技術分野】
【０００１】
本発明は、ウェーハ回転保持装置における回転テーブル用ウェーハ加熱保持機構及び方法並びにウェーハ回転保持装置に関する。
【背景技術】
【０００２】
従来、半導体製造工程において、スピンエッチング、スピン乾燥、スピンコーティング等のようにシリコンなどの半導体ウェーハを回転させつつ各種の処理を行う工程（スピンプロセスとも呼ばれる）が増加してきている。具体的な装置としては、スピンエッチング装置、スピン乾燥装置、スピンコーティング装置等のウェーハ回転保持装置が知られている。その他、デバイスの製造工程におけるウェーハ表面の処理としては、バックグラインディング後のダメージ層を除去するためのエッチング処理の他に、現像液のウェーハへの塗布、回路パターンを露光したウェーハ表面に現像液が塗布されたウェーハに半導体回路を焼き付けたものの現像処理、ウェーハ表面の洗浄等をあげることができる。このようなウェーハをスピン処理するためのウェーハ回転保持装置や方法として、例えば特許文献１〜４に記載される装置や方法がある。【０００３】
従来のスピン処理における回転テーブルに置いたウェーハ基盤への加熱方法としては、加熱手段によりエッチング液等の処理液を加温し、スピンエッチング処理点でのウェーハ温度を保持する方法が用いられている。また、特許文献１は、スピンテーブル上面に支持固定されたウェーハの上面を、ウェーハの側上方に設けられたエアーホットジェット手段等の加熱手段により温風を使用して間接的に加熱する方法を開示している。しかしながら、これら従来の方法は、効率が悪く、ウェーハ基板の加熱精度も悪くなる為、エッチング分布が安定しない傾向が見られた。さらに、薬液温度による影響と薬液の裏側への回り込みを抑える為のブロー及び薬液の雰囲気を除去する為の排気などの影響により、安定的な処理が出来なくなっていた。また、全てのバランスを取る事は可能だが維持させる事が困難であった。例えば、ＨＦ５０％のエッチング液によりＳｉＯ２の除去を早く行う為、ＨＦの温度を約４０℃まで上昇させ処理を行う場合、処理を行わないで温度を維持しておくだけでＨＦが蒸発して濃度が低下することで処理時間が延長されてしまうといった問題があった。
【先行技術文献】
【特許文献】
【０００４】
【特許文献１】特許第４６２５４９５号
【特許文献２】特許第４１１１４７９号
【特許文献３】特許第４２５７８１６号
【特許文献４】特許第４３６４２４２号
【発明の概要】
【発明が解決しようとする課題】
【０００５】
本発明は、上記従来技術に鑑みてなされたもので、回転テーブルに置いたウェーハの面内温度分布を維持した状態で安定的に回転しながらウェーハを加熱することができる、回転テーブル用ウェーハ加熱保持機構、回転テーブル用ウェーハ加熱方法及びウェーハ回転保持装置を提供することを目的とする。
【課題を解決するための手段】
【０００６】
上記課題を解決するために、本発明の回転テーブル用ウェーハ加熱保持機構は、ウェーハ回転保持装置の回転テーブル用ウェーハ加熱保持機構であって、回転軸と、前記回転軸の先端に載置され且つ上面にウェーハを保持する回転テーブルと、前記回転軸に動力を供給する駆動モータと、前記回転テーブル上且つ前記ウェーハの下部に前記ウェーハに非接触状態で設けられた前記ウェーハを加熱するための加熱手段と、を有する、回転テーブル用ウェーハ加熱保持機構である。【０００７】
前記回転テーブルと前記加熱手段の間に反射板を設けてなることが好適である。【０００８】
前記加熱手段への電力供給方法は特に制限はないが、前記回転軸の周囲に巻回された固定側１次コイルと、前記固定側１次コイルに接続された電力供給源と、前記固定側１次コイルに対応して所定距離離間して設けられ、且つ前記回転テーブルに取り付けられた回転テーブル側２次コイルと、前記回転テーブル側２次コイルに接続された負荷と、を含む回転テーブル用非接触電力供給機構を用い、電磁誘導により前記２次コイルを介して前記加熱手段に電力が供給されてなることが好ましい。【０００９】
本発明の回転テーブル用ウェーハ加熱方法は、前記回転テーブル用ウェーハ加熱保持機構を用いて、前記ウェーハを加熱してなる回転テーブル用ウェーハ加熱方法である。【００１０】
本発明のウェーハ回転保持装置は、前記回転テーブル用ウェーハ加熱保持機構を備えてなるウェーハ回転保持装置である。【００１１】
前記ウェーハ回転保持装置が、スピン処理機構を備えるのが好適である。
【発明の効果】
【００１２】
本発明によれば、回転テーブルに置いたウェーハの面内温度分布を維持した状態で安定的に回転しながらウェーハを加熱することができる、回転テーブル用ウェーハ加熱保持機構、回転テーブル用ウェーハ加熱方法及びウェーハ回転保持装置を提供することができるという著大な効果を奏する。本発明によれば、直接ウェーハの加熱を行う為、外部からの影響を受けづらく、安定的にエッチングを行うことができる。
【図面の簡単な説明】
【００１３】
【図１】本発明の回転テーブル用ウェーハ加熱保持機構を備えたウェーハ回転保持装置の一つの実施の形態を示す概略模式図である。
【図２】本発明の回転テーブル用ウェーハ加熱保持機構を備えたウェーハ回転保持装置の要部拡大図である。
【図３】本発明の回転テーブル用ウェーハ加熱保持機構の加熱機構のブロック図である。
【図４】本発明の回転テーブル用ウェーハ保持機構に用いることのできる電力供給機構の一つの実施の形態を示す概略模式図である。
【発明を実施するための形態】
【００１４】
以下に本発明の実施の形態を説明するが、これら実施の形態は例示的に示されるもので、本発明の技術思想から逸脱しない限り種々の変形が可能なことはいうまでもない。図示において、同一部材は同一符号であらわされる。
【００１５】
図１において、符号１０は、本発明の回転テーブル用ウェーハ加熱保持機構を示す。回転テーブル用ウェーハ加熱保持機構１０は、ウェーハ回転保持装置１１の回転テーブル用ウェーハ加熱保持機構であって、回転軸１８と、前記回転軸１８の先端に載置され且つ上面にウェーハＷを保持する回転テーブル１２と、前記回転軸１８に動力を供給する駆動モータ２０と、前記回転テーブル１２上且つ前記ウェーハＷの下部に前記ウェーハＷに非接触状態で設けられた前記ウェーハＷを加熱するための加熱手段１４と、を有する。本発明では、加熱手段１４を回転テーブル１２とウェーハＷとの間に設置し、加熱手段１４とウェーハＷとを非接触状態でウェーハＷを直接加熱することにより、ウェーハＷの温度だけを上げることができ、外部からの影響を低減し、効率良くウェーハＷを加熱することができ、安定的に面内温度分布を維持した状態でスピン処理を行うことができる。
【００１６】
図１において、符号１６は反射板である。図１に示した如く、回転テーブル用ウェーハ加熱保持機構１０は、回転テーブル１２に熱を伝えないように反射板１６を設け、反射板１６上に加熱手段１４を設けることが好適である。さらに、反射板１６と回転テーブル１２との間はスペーサー２８を使用して空間を設けることが好ましい。また、加熱手段１４上に樹脂シート２６を設け、該樹脂シート２６で加熱手段１４への液付着を防止することが好適である。樹脂シートとしては、例えば、フッ素樹脂シート等の合成樹脂シートが好ましい。図１では樹脂シートとしてＰＦＡシートを用いた。
【００１７】
加熱手段１４としては特に制限はなく、公知のヒーターを使用することができる。該ヒーターとしては、例えば、カーボンヒーターやハロゲンヒーターが好適に用いられる。加熱手段１４の回転テーブル１２への設置方法としては特に制限はないが、複数のヒーター１４を均等に設けることが好ましく、複数のヒーター４を放射線状、渦巻き状、またはドーナツ状に設けることがより好ましい。図２では、８個の１５０Ｗのヒーター１４を放射線状に均等に設けた例を示した。
【００１８】
本発明の回転テーブル用ウェーハ加熱保持機構の加熱機構のブロック図を図３に示す。電源３０からの通電時は常時、温度センサー３４にてウェーハＷの温度を検出する。ウェーハＷを回転させ、ＳＷ回路３６によりヒーター等の加熱手段１４の電源をＯＮにし、加熱手段１４による加熱を行う。温度センサー３４を利用し、温度センサー３４からの信号を受け取り、ＳＷ回路３６によりヒーター１４のＯＮ／ＯＦＦを制御する。ＳＷ回路３６以外に温度ヒューズ３８及びバイメタル４０を利用して加熱手段１４のＯＮ／ＯＦＦを制御してもよい。
【００１９】
図１において、符号２２はウェーハの外周を保持する外周ピンであり、符号２４はウェーハＷの下面を支持するための支持ピンである。外周ピン２２の少なくとも一つを可動する可動ピンとし、ウェーハのセット時に開閉可能とすることが好適である。
【００２０】
図示例では、回転軸１８はＳＵＳ（ステンレス鋼）製、回転テーブル１２は工業用プラスチックなどの合成樹脂製である。回転テーブル１２の回転数は特に制限はないが、１００〜１０００ｒｐｍが好適である。ウェーハＷとしてはシリコンウェーハが好適である。
【００２１】
加熱手段１４への電源供給方法としては特に制限はないが、回転テーブルに構築された電源より、回転テーブル上に設置した加熱手段に必要な電力を供給することが好ましい。電源供給方法としては、例えば、回転テーブル内に電池を組み込み電源を供給し、回転テーブルを回転にする事により遠心力にてモータ駆動のスイッチングを行う方法、回転軸からスリップリングを利用して電源を供給し、給電と同時に回転を開始する方法、電磁誘導を使用して回転テーブルに電源を供給し、給電と同時に回転を開始する方法等が挙げられる。図１では、回転テーブル１２下部に設けられた電源により電線３２を介して加熱手段１４に電力が供給される。
【００２２】
電源供給手段として電磁誘導による方法を用いた一つの実施の形態として、電力供給機構７０を図４に示す。図４において、電力供給機構７０は、回転軸１８と、前記回転軸１８の先端に載置され且つ上面にウェーハＷを保持する回転テーブル１２と、前記回転軸１８に動力を供給する駆動モータ２０と、前記回転軸１８の周囲に巻回された固定側１次コイル７２と、前記固定側１次コイル７２に接続された電力供給源７４と、前記固定側１次コイル７２に対応して所定距離離間して設けられ、且つ前記回転テーブル１２に取り付けられた回転テーブル側２次コイル７６と、を含むものである。前記回転テーブル側２次コイル７６に電線８０を介して回転制御用モータを接続することにより、電磁誘導により、前記２次コイル７６を介して加熱手段１４に電力が供給される。
【００２３】
本発明のウェーハ回転保持装置が、スピン処理機構を備えることが好適である。該スピン処理機構としては、例えば、スピンエッチング装置、スピン乾燥装置、スピンコーティング装置等における、エッチング処理機構、乾燥機構、コーティング機構等が挙げられる。その他のスピン処理機構としては、デバイスの製造工程におけるウェーハ表面の処理として、バックグラインディング後のダメージ層を除去するためのエッチング処理機構の他に、現像液のウェーハへの塗布機構、回路パターンを露光したウェーハ表面に現像液が塗布されたウェーハに半導体回路を焼き付けたものの現像処理機構、ウェーハ表面の洗浄機構等が挙げられる。使用される処理薬液としては特に制限はなく、酸系／アルカリ系のエッチング洗浄液、及びリンス水が好適に用いられる。
【００２４】
本発明においては、回転テーブルとウェーハ基板の間に設置した加熱手段によりウェーハ基板を直接加熱し、スピン処理中も常に加熱を行うことで安定的、かつ面内温度分布を維持した状態でスピン処理を可能にするものである。ウェーハを直接加熱する為、外部からの影響を受けづらくエッチングを行うことができる。例えば、エッチング液としてＨＦによるＳｉＯ２の除去の際、エッチング液を加熱せずに常温で供給し、ウェーハを直接加熱する事によりＨＦはウェーハ上で加熱されてエッチングレートが上がり、これによりＨＦの劣化を低減させ、寿命を延ばすことができる。ＨＦを昇温すると揮発性が大変高い為、危険であるが、本発明によれば、危険性も低減させることができる。
【００２５】
本発明の回転テーブル用ウェーハ加熱方法は、回転テーブル用ウェーハ加熱保持機構を用いて前記ウェーハを加熱する方法である。また、ウェーハ回転保持装置は、回転テーブル用ウェーハ加熱保持機構を備えた装置である。
【符号の説明】
【００２６】
１０：本発明の回転テーブル用ウェーハ加熱保持機構、１１：本発明のウェーハ回転保持装置、１２，３２：回転テーブル、１４：加熱手段、ヒーター、１６：反射板、１８：回転軸、２０：駆動モータ、２２：外周ピン、２４：支持ピン、２６：樹脂シート、２８：スペーサー、３０：電源、３２：電線、３４：温度センサー、３６：ＳＷ回路、３８：温度ヒューズ、４０：バイメタル、７０：電力供給機構、７２：固定側１次コイル、７４：電力供給源、７６：回転テーブル側２次コイル、Ｗ：ウェーハ。
【図１】
2017204083.tif 000003
【図２】
2017204083.tif 000004
【図３】
2017204083.tif 000005
【図４】
2017204083.tif 000006
【国際調査報告】
2017204083.tif 000007
2017204083.tif 000008